(57)【要約】【課題】無端ベルトの内周面に供給された潤滑剤の漏れを防止する定着装置等を提供する。【解決手段】内周面の軸方向中央部に形成された粗面部６２１と、内周面の軸方向両端部にそれぞれ形成された平滑部６２２と、を有する定着ベルト（無端ベルト）６２と、定着ベルト６２との間に用紙が供給される押圧部を形成し回転駆動する回転体と、定着ベルト６２の内周面に接触しつつ定着ベルト６２の粗面部６２１に潤滑剤を供給する潤滑剤供給部材と、定着ベルト６２の内周面に接触しつつ定着ベルト６２の平滑部６２２から潤滑剤を拭き取る潤滑剤拭き取り部材と、を備える。【選択図】図３
2010204587.tif 000002
【特許請求の範囲】
【請求項１】
内周面の軸方向中央部に形成された粗面部と、当該内周面の軸方向両端部にそれぞれ形成された平滑部と、を有する無端ベルトと、
前記無端ベルトとの間に用紙が供給される押圧部を形成し回転駆動する回転体と、
前記無端ベルトの内周面に接触しつつ当該無端ベルトの前記粗面部に潤滑剤を供給する潤滑剤供給部材と、
前記無端ベルトの内周面に接触しつつ当該無端ベルトの前記平滑部から潤滑剤を拭き取る潤滑剤拭き取り部材と、
を備えることを特徴とする定着装置。
【請求項２】
前記無端ベルトの平滑部は、前記回転体との前記押圧部に供給される用紙の最大通紙幅より当該無端ベルトの軸方向外側に設けられることを特徴とする請求項１に記載の定着装置。
【請求項３】
前記無端ベルトの平滑部は、前記回転体との前記押圧部における最大圧力部より当該無端ベルトの軸方向外側に設けられることを特徴とする請求項１又は２に記載の定着装置。
【請求項４】
前記潤滑剤拭き取り部材は、前記無端ベルトの前記粗面部における接触圧と比較して当該無端ベルトの前記平滑部における接触圧が高くなるように当該無端ベルトの内周面に接触することを特徴とする請求項１乃至３のいずれか１項に記載の定着装置。
【請求項５】
トナー像を形成するトナー像形成部と、
前記トナー像形成部により形成されたトナー像を記録材上に転写する転写部と、
前記記録材に転写されたトナー像を当該記録材上に定着する定着部と、を備え、
前記定着部は、
円筒形状を有し、内周面の軸方向中央部に粗面部を設け、当該内周面の軸方向両端部にそれぞれ平滑部を設けた定着ベルトと、
前記定着ベルトとの間に記録材が供給される押圧部を形成し回転駆動する加圧ロールと、
前記定着ベルトの内周面に接触しつつ潤滑剤を供給する潤滑剤供給部材と、
前記定着ベルトの前記平滑部に対応する部分から潤滑剤を拭き取る潤滑剤拭き取り部材と、
を有することを特徴とする画像形成装置。
【請求項６】
円筒形状を有し、内周面の軸方向中央部に形成された粗面部と、
前記内周面の軸方向両端部にそれぞれ形成された平滑部と、を有し、
回転駆動する回転体に接触しながら従動回転することを特徴とする定着用無端ベルト。
【請求項７】
前記内周面の前記粗面部は、当該粗面部に供給された潤滑剤を保持可能な凹凸形状を有し、前記平滑部は、当該潤滑剤の拭き取りが可能な平滑面を有することを特徴とする請求項６に記載の定着用無端ベルト。
【請求項８】
前記内周面の前記粗面部は、表面粗さＲａが０．３〜２μｍであり、前記平滑部は、表面粗さＲａが０．１μｍ以下であることを特徴とする請求項６又は７に記載の定着用無端ベルト。
【発明の詳細な説明】
【技術分野】
【０００１】
本発明は、定着装置、画像形成装置及び定着用無端ベルトに関する。
【背景技術】
【０００２】
電子写真方式を用いる複写機等の画像形成装置では、加熱定着法が広く採用されている。この加熱定着法に用いる定着装置として、無端ベルトを定着ロールに押圧し用紙を挟み込むニップ部形成するベルトニップ方式が開発されている（特許文献１参照）。ベルトニップ方式では、圧力付与部材（圧力パッド）により無端ベルトを定着ロールに圧接させる。この場合、圧力付与部材と無端ベルトとの間に摺動摩擦が発生する。そのため、無端ベルトの内周面に潤滑剤が塗布される。
例えば、特許文献２には、定着ロールと、内周面に凹凸が形成されている無端ベルトと、圧力パッドと、を備え、無端ベルトの内周面における潤滑剤の保持能力を向上させることにより、高品質な画像を形成する定着装置が記載されている。
また、無端ベルトの内周面から漏洩する潤滑剤を拭き取る手段が報告されている。例えば、特許文献３には、定着ロールと、内周面に潤滑剤が塗布された無端ベルトと、圧力パッドとを備え、潤滑剤拭き取り部材により、無端ベルトの内周面からの潤滑剤の漏洩を抑制する定着装置が記載されている。
【先行技術文献】
【特許文献】
【０００３】
【特許文献１】特許第３２９８３５４号公報
【特許文献２】特開２００５−１７３４４１号公報
【特許文献３】特開２００５−３００９８３号公報
【発明の概要】
【発明が解決しようとする課題】
【０００４】
本発明の目的は、無端ベルトの内周面に供給された潤滑剤の漏れを防止することにある。
【課題を解決するための手段】
【０００５】
請求項１に係る発明は、内周面の軸方向中央部に形成された粗面部と、当該内周面の軸方向両端部にそれぞれ形成された平滑部と、を有する無端ベルトと、前記無端ベルトとの間に用紙が供給される押圧部を形成し回転駆動する回転体と、前記無端ベルトの内周面に接触しつつ当該無端ベルトの前記粗面部に潤滑剤を供給する潤滑剤供給部材と、前記無端ベルトの内周面に接触しつつ当該無端ベルトの前記平滑部から潤滑剤を拭き取る潤滑剤拭き取り部材と、を備えることを特徴とする定着装置である。
請求項２に係る発明は、前記無端ベルトの平滑部は、前記回転体との前記押圧部に供給される用紙の最大通紙幅より当該無端ベルトの軸方向外側に設けられることを特徴とする請求項１に記載の定着装置である。
請求項３に係る発明は、前記無端ベルトの平滑部は、前記回転体との前記押圧部における最大圧力部より当該無端ベルトの軸方向外側に設けられることを特徴とする請求項１又は２に記載の定着装置である。
請求項４に係る発明は、前記潤滑剤拭き取り部材は、前記無端ベルトの前記粗面部における接触圧と比較して当該無端ベルトの前記平滑部における接触圧が高くなるように当該無端ベルトの内周面に接触することを特徴とする請求項１乃至３のいずれか１項に記載の定着装置である。
【０００６】
請求項５に係る発明は、トナー像を形成するトナー像形成部と、前記トナー像形成部により形成されたトナー像を記録材上に転写する転写部と、前記記録材に転写されたトナー像を当該記録材上に定着する定着部と、を備え、前記定着部は、円筒形状を有し、内周面の軸方向中央部に粗面部を設け、当該内周面の軸方向両端部にそれぞれ平滑部を設けた定着ベルトと、前記定着ベルトとの間に記録材が供給される押圧部を形成し回転駆動する加圧ロールと、前記定着ベルトの内周面に接触しつつ潤滑剤を供給する潤滑剤供給部材と、前記定着ベルトの前記平滑部に対応する部分から潤滑剤を拭き取る潤滑剤拭き取り部材と、を有することを特徴とする画像形成装置である。
【０００７】
請求項６に係る発明は、円筒形状を有し、内周面の軸方向中央部に形成された粗面部と、前記内周面の軸方向両端部にそれぞれ形成された平滑部と、を有し、回転駆動する回転体に接触しながら従動回転することを特徴とする定着用無端ベルトである。
請求項７に係る発明は、前記内周面の前記粗面部は、当該粗面部に供給された潤滑剤を保持可能な凹凸形状を有し、前記平滑部は、当該潤滑剤の拭き取りが可能な平滑面を有することを特徴とする請求項６に記載の定着用無端ベルトである。
請求項８に係る発明は、前記内周面の前記粗面部は、表面粗さＲａが０．３〜２μｍであり、前記平滑部は、表面粗さＲａが０．１μｍ以下であることを特徴とする請求項６又は７に記載の定着用無端ベルトである。
【発明の効果】
【０００８】
請求項１に係る発明によれば、本構成を有しない場合に比べ、無端ベルトの内周面に供給された潤滑剤の漏れが防止される。
【０００９】
請求項２に係る発明によれば、本構成を有しない場合に比べ、無端ベルトの両端部からの潤滑剤の漏れがより防止される。
【００１０】
請求項３に係る発明によれば、本構成を有しない場合に比べ、無端ベルトの内周面に供給された潤滑剤がより効率良く拭き取られる。
【００１１】
請求項４に係る発明によれば、本構成を有しない場合に比べ、無端ベルトの内周面から潤滑剤がより確実に拭き取られる。
【００１２】
請求項５に係る発明によれば、本構成を有しない場合に比べ、長期間に亘り紙皺や画像ずれ等の発生を抑えて高品質な画像が形成される。
【００１３】
請求項６に係る発明によれば、本構成を有しない無端ベルトと比べ、定着ベルトとして用いた場合、無端ベルトの内周面に供給された潤滑剤の漏れが防止される。
【００１４】
請求項７に係る発明によれば、本構成を有しない場合に比べ、内周面における潤滑剤の保持性と潤滑剤の除去性とを両立することができる。
【００１５】
請求項８に係る発明によれば、本構成を有しない場合に比べ、内周面における潤滑剤の保持性と潤滑剤の除去性とをより確実に両立することができる。
【図面の簡単な説明】
【００１６】
【図１】本実施の形態が適用される画像形成装置の概略構成図である。
【図２】本実施の形態が適用される定着装置の一例を説明する図である。
【図３】定着ベルトの内周面の構造を説明する図である。
【図４】定着ベルトの内周面における平滑部の位置を説明する図である。
【発明を実施するための形態】
【００１７】
以下、本発明の実施の形態について説明する。尚、本発明は、以下の実施の形態に限定されるものではなく、その要旨の範囲内で種々変形して実施することができる。また、使用する図面は、本実施の形態を説明するために使用するものであり、実際の大きさを現すものではない。
【００１８】
（画像形成装置）
図１は、本実施の形態が適用される画像形成装置の概略構成図である。ここでは、一般にタンデム型と呼ぶ中間転写方式の画像形成装置を例に挙げ説明する。図１に示す画像形成装置１００は、像形成部として、電子写真方式により各色成分のトナー像を形成する複数の画像形成ユニット１Ｙ，１Ｍ，１Ｃ，１Ｋを備える。次に、転写部として、各画像形成ユニット１Ｙ，１Ｍ，１Ｃ，１Ｋにより形成する各色成分トナー像を中間転写ベルト（像保持体）１５に順次転写（一次転写）する一次転写部１０と、中間転写ベルト１５上に転写した重畳トナー画像を記録材である用紙に一括転写（二次転写）する二次転写部２０を有する。さらに、定着部として、二次転写された画像を用紙上に定着する定着装置６０を備える。また、各装置（各部）の動作を制御する制御部４０を有する。
【００１９】
図１に示すように、各画像形成ユニット１Ｙ，１Ｍ，１Ｃ，１Ｋは、矢印Ａ方向に回転する感光体ドラム１１と、感光体ドラム１１を帯電する帯電器１２と、感光体ドラム１１上に静電潜像を書込むレーザ露光器１３と、各色成分トナーを収容し感光体ドラム１１上の静電潜像をトナーにより可視像化する現像器１４とを有する。また、感光体ドラム１１上に形成する各色成分トナー像を一次転写部１０にて中間転写ベルト１５に転写する一次転写ロール１６と、感光体ドラム１１上の残留トナーを除去するドラムクリーナ１７と、を有する。これらの画像形成ユニット１Ｙ，１Ｍ，１Ｃ，１Ｋは、中間転写ベルト１５の上流側から、イエロー（Ｙ）、マゼンタ（Ｍ）、シアン（Ｃ）、黒（Ｋ）の順に略直線状に配置されている。
【００２０】
中間転写ベルト１５は、各種ロールにより、図１に示す矢印Ｂ方向に循環駆動する。各種ロールとして、中間転写ベルト１５を駆動する駆動ロール３１と、中間転写ベルト１５を支持する支持ロール３２と、中間転写ベルト１５に一定の張力を与え蛇行を防止するテンションロール３３と、二次転写部２０に設けるバックアップロール２５と、中間転写ベルト１５上の残留トナーを掻き取るクリーニング部に設けるクリーニングバックアップロール３４とを有している。
【００２１】
一次転写部１０は、中間転写ベルト１５を挟み感光体ドラム１１に対向する一次転写ロール１６を有する。二次転写部２０は、中間転写ベルト１５のトナー像保持面側に配置する二次転写ロール（転写部材）２２と、二次転写ロール２２の対向電極として中間転写ベルト１５の裏面側に配置されたバックアップロール２５と、バックアップロール２５に二次転写バイアスを印加する給電ロール２６とを有する。
【００２２】
二次転写部２０の下流側に、中間転写ベルト１５上の残留トナーや紙粉を除去する中間転写ベルトクリーナ３５を設ける。イエローの画像形成ユニット１Ｙの上流側に、各画像形成ユニット１Ｙ，１Ｍ，１Ｃ，１Ｋにおける画像形成タイミングをとるための基準信号を発生する基準センサ（ホームポジションセンサ）４２を配設する。また、黒の画像形成ユニット１Ｋの下流側には、画質調整を行うための画像濃度センサ４３を配設する。
【００２３】
用紙搬送系には、用紙収容部５０と、用紙収容部５０中の用紙（Ｐ）を取り出して搬送するピックアップロール５１と、用紙を搬送する搬送ロール５２と、用紙を二次転写部２０へと送る搬送シュート５３と、二次転写ロール２２により二次転写された用紙を定着装置６０へと搬送する搬送ベルト５５と、用紙を定着装置６０に導く定着入口ガイド５６とを有する。
【００２４】
次に、画像形成装置１００の基本的な作像プロセスについて説明する。
図１に示すような画像形成装置１００では、画像読取装置（ＩＩＴ）（図示せず）等から出力される画像データに画像処理を施した後、画像データをＹ、Ｍ、Ｃ、Ｋの４色の色材階調データに変換し、レーザ露光器１３に出力する。レーザ露光器１３は、入力される色材階調データに応じ、例えば、半導体レーザから出射された露光ビームＢｍを画像形成ユニット１Ｙ，１Ｍ，１Ｃ，１Ｋの矢印Ａ方向に回転する各感光体ドラム１１に照射する。各感光体ドラム１１の表面を帯電器１２によって帯電した後、レーザ露光器１３によって表面を走査露光し、静電潜像を形成する。形成した静電潜像は、各々の画像形成ユニット１Ｙ，１Ｍ，１Ｃ，１Ｋによって、Ｙ、Ｍ、Ｃ、Ｋの各色のトナー像として現像する。
【００２５】
つぎに、感光体ドラム１１上に形成するトナー像を、一次転写部１０において中間転写ベルト１５の表面に順次重ね合わせて一次転写を行う。中間転写ベルト１５は矢印Ｂ方向に移動してトナー像を二次転写部２０に搬送する。用紙搬送系は、トナー像を二次転写部２０に搬送するタイミングに合わせて、用紙収容部５０から用紙を供給する。
二次転写部２０では、中間転写ベルト１５上に保持された未定着トナー像を、中間転写ベルト１５と二次転写ロール２２との間に挟み込まれた用紙上に静電転写する。その後、トナー像を静電転写した用紙を搬送ベルト５５により定着装置６０まで搬送し、定着装置６０は、用紙上の未定着トナー像を熱および圧力で処理し用紙上に定着する。定着画像を形成した用紙は、画像形成装置１００の排出部に設けた排紙載置部に搬送する。
【００２６】
（定着装置６０）
次に、図２、図３及び図４を用いて定着装置について説明する。図２は、本実施の形態が適用される定着装置の一例を説明する図である。図２に示すように、定着装置６０は、回転方向Ｃに回転駆動する回転体の一例としての定着ロール６１、回転方向Ｃ’に従動回転する定着用無端ベルトの一例としての定着ベルト６２、定着ベルト６２を介して定着ロール６１から押圧される圧力部材としての圧力パッド部６４（ここでは、弾性圧力パッド６４ａと、高剛性パッド６４ｂにより構成している）、シート状の摺動部材６８により主要部が構成されている。
また、剥離の補助手段として、押圧部Ｎの下流側に、剥離部材７０が設置されている。剥離部材７０は、定着ロール６１の回転方向Ｃと対向する向き（カウンタ方向）に、定着ロール６１と近接する状態で配置される剥離バッフル７１と、剥離バッフル７１を保持するホルダ７２とで構成されている。
【００２７】
定着ロール６１は、金属製のコア（円筒状芯金）６１１の周囲に耐熱性弾性体層６１２、および離型層６１３を積層して構成されている。コア６１１の外径および肉厚は、本実施の形態では、通常、外径２０ｍｍ〜４０ｍｍである。肉厚は、アルミニウムの場合、１ｍｍ〜３ｍｍ、ＳＵＳや鉄の場合は０．４ｍｍ〜１．５ｍｍ程度である。耐熱性弾性体層６１２の材料は、例えば、硬度が１５〜４５°（ＪＩＳ−Ａ）程度のシリコーンゴム、フッ素ゴム等が挙げられる。離型層６１３は、本実施の形態では、フッ素樹脂が挙げられる。フッ素樹脂としては、テトラフルオロエチレン−パーフルオロアルキルビニルエーテル共重合体（ＰＦＡ）、ポリテトラフルオロエチレン（ＰＴＦＥ）、テトラフルオロエチレン−ヘキサフルオロプロピレン共重合体（ＦＥＰ）等が挙げられる。また、それらの複合材料、又それらの樹脂にカーボンやアルミナ、硫酸バリウムのようなフィラーを配合したものが使用できる。離型層６１３の厚みは、好ましくは５μｍ〜５０μｍ、より好ましくは１０μｍ〜４０μｍである。
【００２８】
定着ロール６１の内部には、発熱源としてのハロゲンヒータ６６が配設されている。一方、定着ロール６１の表面には温度センサ６９が接触して配置されている。画像形成装置１００（図１参照）の制御部４０（図１参照）は、この温度センサ６９による温度計測値に基づいてハロゲンヒータ６６の点灯を制御し、定着ロール６１の表面温度が設定温度（例えば、１７０℃）を維持するように調整している。
【００２９】
定着ベルト６２は、内部に配置された圧力パッド部６４とベルト走行ガイド６３と、さらに図示しないが、両端部に配置されたエッジガイドによって回動自在に支持されている。ベルト走行ガイド６３は低摩擦材料で形成され、定着ベルト６２内周面との摺擦抵抗が低減される。また、ベルト走行ガイド６３は低熱伝導性材料で形成され、定着ベルト６２からの熱伝導を抑制している。
そして、定着ベルト６２は、定着ロール６１との間に用紙（Ｐ）が供給される押圧部（Ｎ）を形成し、押圧部（Ｎ）において定着ロール６１に対して圧接されて配置されている。定着ベルト６２の構造については後述する。
【００３０】
圧力パッド部６４は、定着ベルト６２の内側に配置され、定着ベルト６２を介して定着ロール６１に押圧され、定着ロール６１との間で押圧部（Ｎ）を形成している。圧力パッド部６４は、ホルダ６５に支持され、弾性圧力パッド６４ａ（プレニップ用）を押圧部（Ｎ）の入口側に配置し、幅の広い押圧部（Ｎ）を確保している。また、高剛性パッド６４ｂ（剥離ニップ用）を押圧部（Ｎ）の出口側に配置し、定着ロール６１に歪みを与えている。
弾性圧力パッド６４ａの材料は、シリコーンゴム、フッ素ゴム等の弾性体や板バネ等が挙げられる。また、定着ロール６１の外周面に倣うように凹形状を有している。
高剛性パッド６４ｂの材料は、ポリフェニレンサルファイド（ＰＰＳ）、ポリイミド、ポリエステル、ポリアミド等の耐熱性樹脂や、それらの樹脂にガラスファイバー等を添加し強化した材料、鉄、アルミニウム、ＳＵＳ等の金属が挙げられる。
【００３１】
弾性圧力パッド６４ａおよび高剛性パッド６４ｂの定着ベルト６２と接する面に摺動部材６８が設けられ、定着ベルト６２の内周面と圧力パッド部６４との摺動抵抗を低減している。摺動部材６８の材料は、例えば、シンタード成型したＰＴＦＥ樹脂シート、フッ素樹脂を含浸させたガラス繊維シート、ガラス繊維にフッ素樹脂のフィルムシートを加熱融着しサンドイッチした積層シート等が挙げられる。
尚、圧力パッド部６４と定着ロール６１の間のニップ圧力は、スプリング等の部材（図示せず）によって荷重が負荷され、その荷重は、Ａ４サイズ対応（Ａ４ＳＥＦ通紙幅対応）の装置で、１００Ｎ〜３５０Ｎ、Ａ３サイズ対応（Ａ４ＬＥＦ通紙幅対応）の装置で、１５０Ｎ〜４５０Ｎ程度である。
【００３２】
また、ベルト走行ガイド６３は、定着ベルト６２の内周面と摺擦する。ベルト走行ガイド６３の材料としては、例えば、ＰＦＡやＰＰＳ等の耐熱性樹脂が挙げられる。
ホルダ６５には、定着装置６０の長手方向に亘って、潤滑剤供給部材６７が配設されている。潤滑剤供給部材６７は、定着ベルト６２の内周面に対して接触するように配置され、アミノ変性シリコーンオイル等の潤滑剤を適量供給する。これにより、定着ベルト６２と摺動部材６８との摺動部に潤滑剤を供給し、摺動部材６８を介した定着ベルト６２と圧力パッド部６４との摺動抵抗をさらに低減している。
【００３３】
定着ベルト６２の内側には、定着ベルト６２の内周面に供給された潤滑剤をふき取る潤滑剤拭き取り部材６７５が配置されている。潤滑剤拭き取り部材６７５は、定着ベルト６２の内周面に背食するように配置されている。潤滑剤拭き取り部材６７５は、耐熱性繊維製のフェルトや不植布、耐熱性スポンジ等などで構成される。潤滑剤拭き取り部材６７５の配置については後述する。
【００３４】
（定着ベルト６２）
次に、定着ベルト６２について説明する。
尚、本実施の形態では、定着ロール６１に押圧される加圧側の定着ベルト６２の例を示すが、必ずしもこれに限定されない。例えば、無端ベルトが、内側から圧力付与部材により押圧されて対向する回転体とニップ部を形成し、且つ無端ベルトと圧力付与部材（又はその上に設けられた低摩擦部材）との間に潤滑剤が供給される場合であれば、定着側のベルトでもかまわないし、定着側、加圧側両方がベルトを用いた定着装置の場合にも適用される。
【００３５】
本実施の形態が適用される定着ベルト６２は、円筒形状に形成されたベース層（図示せず）と、このベース層の定着ロール６１側の面または両面に被覆された離型層（図示せず）とから構成されている。本実施の形態では、定着ベルト６２の直径は３０ｍｍである。また、本実施の形態では、定着ベルト６２の軸方向の長さは、通常、２４ｃｍ〜３７ｃｍである。
ベース層は、ポリイミド等の耐熱性樹脂、ＳＵＳ等の薄膜の金属により形成されている。ベース層の厚さは、耐熱性樹脂の場合、３０μｍ〜２００μｍである。また、金属の場合、１０μｍ〜１００μｍである。離型層は、フッ素樹脂又はフッ素樹脂の複合材料、フッ素樹脂に充填材を配合した組成物から形成されている。離型層の厚さは、５μｍ〜１００μｍである。尚、離型層とベース層との間に弾性層を設ける場合もある。
【００３６】
図３は、定着ベルト６２の内周面の構造を説明する図である。
図３（ａ）に示すように、定着ベルト６２の内周面は、円筒形状の軸方向（矢印Ｄ方向）の中央部に形成された粗面部６２１と、内周面の軸方向の両端部にそれぞれ形成された平滑部６２２と、を有している。尚、矢印Ｃ’は、定着ベルト６２の移動方向（回転方向）である。
本実施の形態では、内周面の粗面部６２１には、微細な凹凸形状が形成されている。粗面部６２１の表面粗さＲａ（算術平均粗さ、ＪＩＳ  ９４）は、定着ベルト６２の軸方向（矢印Ｄの方向）に測定した場合、通常、Ｒａ＝０．３μｍ〜２．０μｍ、好ましくは、Ｒａ＝０．４μｍ〜１．２μｍの範囲である。
【００３７】
図３（ｂ）は、粗面部６２１の一例を示す図である。図３（ｂ）に示すように、粗面部６２１には、複数の凸部と溝が、定着ベルト６２の移動方向Ｃ’に沿って、内周面を周回するように形成されている（移動方向溝タイプ）。
図３（ｃ）は、図３（ｂ）における軸方向Ｘ−Ｘ’の断面図である。図３（ｃ）に示すように、粗面部６２１には、凸部と溝が交互に且つ連続的に形成されている。
【００３８】
粗面部６２１は、上述したように、凸部と溝が連続的に形成された移動方向溝タイプの他、内周面に不規則な凹凸が形成されていても良い。例えば、内周面に、定着ベルト６２の移動方向に沿って溝を形成し、さらにその全面にサンドブラスト処理を施した凹凸形状（溝サンドブラストタイプ）；定着ベルト６２の内周面の全面に、比較的細かなサンドブラスト処理を施した凹凸形状（小サンドブラストタイプ）；定着ベルト６２の内周面の全面に、比較的粗いサンドブラスト処理を施した凹凸形状（大サンドブラストタイプ）等が挙げられる。
【００３９】
定着ベルト６２の内周面に微細な凹凸形状を形成することにより、内周面における潤滑剤の保持能力が向上する。これにより、定着ベルト６２と摺動部材６８との摺動部において、潤滑剤が安定して維持される。そして、定着ベルト６２と圧力パッド部６４との摺動抵抗は低減する。その結果、用紙を定着ロール６１と等速に安定して搬送することが可能となり、画像ずれや用紙への紙皺の発生が抑えられる。
【００４０】
定着ベルト６２の内周面に形成される微細な凹凸形状の作用は以下のように考えられる。前述したように、潤滑剤供給部材６７は、定着ベルト６２の内周面に接触するように配置され、潤滑剤を定着ベルト６２の内周面に常時供給している。潤滑剤供給部材６７から内周面の全面に亘って塗布された潤滑剤は、内周面に形成された微細な凹凸形状のうち、主として凹部に保持される。凹部では、潤滑剤がそれぞれ微小な集合となり安定的に保持される。また、潤滑剤供給部材６７と内周面の微細な凹凸形状の凸部との接触により潤滑剤が均され、微細な凹部には確実に潤滑剤が供給されるとともに、余分な潤滑剤は潤滑剤供給部材６７に回収される。そのため、凹部における潤滑剤の保持量は略一定量に制御され、定着ベルト６２の内周面の全面に亘って潤滑剤が均一に保持される。
【００４１】
次に、平滑部６２２について説明する。
図３（ａ）に示すように、本実施の形態が適用される定着ベルト６２は、内周面の軸方向（矢印Ｄの方向）の両端部に、それぞれ平滑部６２２が設けられている。平滑部６２２は、粗面部６２１の外側において、定着ベルト６２の移動方向に沿って、一定の幅で内周面を周回する帯状の部分として形成されている。平滑部６２２の軸方向の幅は、特に限定されないが、本実施の形態では、１５ｍｍである。
平滑部６２２は、定着ベルト６２の内周面に表面粗し等の処理を施さず、内周面の本来の表面そのままの状態を維持している（平滑タイプ）。本実施の形態では、平滑部６２２の表面粗さＲａ（算術平均粗さ）は、いずれの方向にもＲａ＝０．２μｍ以下、好ましくは、０．１μｍ以下である。
【００４２】
ところで、前述したように、定着ベルト６２の内周面に微細な凹凸が形成されていると、潤滑剤の保持能力が向上するものの、潤滑剤拭き取り部材６７５をすり抜けた潤滑剤が漏れ出すことが判明している。
即ち、本実施の形態で説明するように、ベルトニップ方式の定着装置は、圧力パッド部６４により定着ベルト６２を定着ロール６１に圧接させるので、圧力パット部６４と定着ベルト６２との間に摺動摩擦が生じる。そのため、定着ベルト６２の内周面に潤滑剤を塗布し、圧力パッド部６４と定着ベルト６２との滑り性の向上が図られている。
【００４３】
ここで、小型の装置の場合、潤滑剤を一定量安定的に供給する供給機構や部材を配置することは難しい。このため、従来、圧力付与部材と無端ベルトとの摺擦面に潤滑剤を供給するには、両者の摺動部の上流側に配置した潤滑剤供給部材から無端ベルトの内周面に潤滑剤を塗布し、無端ベルトの回動に伴って摺動部まで潤滑剤を搬送する方法が採用されている。この方式の場合、一定量の潤滑剤を長期に亘り安定的に塗布することが難しい。そのため、初期に必要量を潤滑剤供給部材に与えても、経時的に圧力付与部材等の隙間に潤滑剤が逃げ、無端ベルトへの塗布量が減少する。そして、圧力付与部材と無端ベルトとの摺動摩擦が増加し、定着ロールの回転に対応した無端ベルトの円滑な回動が難しくなる。その結果、押圧部での用紙の円滑な搬送が阻害され、紙皺や画像ずれ等の画像不良が生じさせる場合がある。
【００４４】
さらに、長期使用での潤滑剤枯れを防止しようとした場合、初期に必要量以上に潤滑剤を塗布すると、無端ベルトの両端部から余剰の潤滑剤が漏れてしまう。漏れ出た潤滑剤が対向する定着ロールの表面に付くと、用紙への染みとなる。また、潤滑剤がシリコーンオイルの場合、漏れたオイルによって定着ロールの弾性層のシリコーンゴムが膨潤する。そのため、定着ロールの弾性層はがれや、定着ロールの形状変形による紙皺等の不具合が発生する場合があった。このように、初期の潤滑剤供給部材へのオイル塗布量の管理を厳しくせざるを得ず、結果的に長期の潤滑剤摺動安定性を得ることが難しくなっていた。
【００４５】
このような問題に対し、無端ベルトの内周面から漏洩する潤滑剤を拭き取る潤滑剤拭き取り部材を備えた技術が提案された。しかし、無端ベルトの内周面が粗面であると、長期的な摺動安定性は向上するものの、粗面で保持された潤滑剤が潤滑剤拭き取り部材をすり抜けてしまう。そのため、長期的に無端ベルトの端部からの潤滑剤漏れを防ぐことが困難であった。
本発明者は、以上のような技術的課題に対し、定着ベルト６２の内周面の両端部に平滑部６２２を形成することにより解決した。
【００４６】
図４は、定着ベルト６２の内周面における平滑部６２２の位置を説明する図である。図４（ａ）に示すように、定着ベルト６２の内周面において、平滑部６２２は、中央部分に形成された粗面部６２１の外側の両端部にそれぞれ形成されている。ここで、Ｗは用紙の最大通紙幅である。両端部にそれぞれ形成された平滑部６２２には、潤滑剤拭き取り部材６７５が接触するように配置されている。
即ち、発明者の検討結果によれば、定着ベルト６２の摺動抵抗は、ニップ圧力が高くなる領域（用紙の最大通紙幅Ｗ）で増大し、定着ベルト６２の両端部は低いことが判明した。そこで、定着ベルト６２の内周面のニップ圧力が高くなる領域（用紙の最大通紙幅Ｗ）に粗面部６２１を設け、最大通紙幅Ｗより定着ベルト６２の軸方向外側である両端部に平滑部６２２を設けた。
【００４７】
ここで、図４（ａ）に示すように、潤滑剤拭き取り部材６７５は、定着ベルト６２の内周面の平滑部６２２に対応した部分のみに接触するように配置されても良く、また、定着ベルト６２の内周面の軸方向全体に接触するように配置されても良い。その場合、潤滑剤拭き取り部材６７５の厚さや硬度を調整し、定着ベルト６２の内周面の平滑部６２２に対応した部分への接触圧が高くなるようにしても良い。
【００４８】
このように、定着ベルト６２の内周面の両端部に平滑部６２２を設けると、定着ベルト６２の中央部に設けた粗面部６２１において摺動性を確保しつつ、平滑部６２２に接触する潤滑剤拭き取り部材６７５によって潤滑剤のすり抜けが防止される。
定着ベルト６２を装着した定着装置６０による通紙試験の結果は以下の通りである。即ち、Ａ４ＬＥＦ通紙で２０万枚を通紙した後も、定着ベルト６２の内周面において、摺動抵抗の上昇による紙皺や画像ずれ、モータの負荷の異常等が起きなかった。また、定着ベルト６２の両端部からの潤滑剤の漏れも未発生であった。
【００４９】
同様な通紙試験を、内周面の全体に粗面部を形成した無端ベルトを装着した定着装置６０を使用すると、Ａ４ＬＥＦ通紙８０００枚で無端ベルト端部からのオイル漏れにより通紙用紙へのオイル染みが生じた。その後、定着ロール６１の耐熱性弾性体層６１２の端部にオイル膨潤による剥れと変形が生じた。
また、内周面全体を表面粗さＲａ＝０．１μｍ以下の平滑面とした無端ベルトを装着した定着装置６０を使用すると、Ａ４ＬＥＦ通紙４０００枚で無端ベルトの内面の摺動抵抗が上昇し、紙皺や画像ずれが発生した。
このように、本実施の形態が適用される定着ベルト６２を使用することにより、定着ベルト６２の内周面に供給された潤滑剤の漏れ防止を図りつつ、長期的な摺動抵抗の増大を抑制し、紙皺や画像ずれ等の発生を抑制する効果が得られることが分かる。
【００５０】
さらに、図４（ｂ）は、定着装置６０のニップ圧力分布Ｐｗと平滑部６２２の位置を説明する図である。図４（ｂ）のグラフにおいて、横軸は定着ベルト６２の軸方向位置Ｍを示す。また、縦軸はニップ圧力Ｐを示す。Ｐｗは非通紙時のニップ圧力分布を示す。
図４（ｂ）に示すように、定着ベルト６２の内周面において、平滑部６２２は、定着装置６０のニップ圧力分布Ｐｗ（非通紙時）の最大ニップ圧力部分より、定着ベルト６２の軸方向外側に対応した部分に形成されている。
【００５１】
平滑部６２２を最大ニップ圧力部分より定着ベルト６２の軸方向外側に対応した部分に形成することにより、定着ベルト６２の内面摺動性の悪化を防ぎつつ、定着ベルト６２の端部からの潤滑材の漏れを防止できる。この場合、潤滑剤拭き取り部材６７５は、定着ベルト６２の内周面の平滑部６２２に対応した部分のみに接触するように配置されても良く、また、定着ベルト６２の内周面の軸方向全体に接触するように配置されても良い。
このような構造の定着ベルト６２を装着した定着装置６０による通紙試験の結果は以下の通りである。即ち、Ａ４ＬＥＦ通紙で２０万枚を通紙した後も、定着ベルト６２の内面の摺動抵抗の上昇による紙皺や画像ずれ、モータの負荷の異常等が起きなかった。また、定着ベルト６２の端部から潤滑剤の漏れが無かった。
【符号の説明】
【００５２】
１Ｙ，１Ｍ，１Ｃ，１Ｋ…画像形成ユニット、１１…感光体ドラム、１２…帯電器、１３…レーザ露光器、１４…現像器、１５…中間転写ベルト、１６…一次転写ロール、１７…ドラムクリーナ、２０…二次転写部、２２…二次転写ロール、３１…駆動ロール、４０…制御部、５０…用紙収容部、６０…定着装置、６１…定着ロール（回転体）、６２…定着ベルト（無端ベルト）、６４…圧力パッド部、６７…潤滑剤供給部材、６２１…粗面部、６２２…平滑部、６７５…潤滑剤拭き取り部材
【図１】
2010204587.tif 000003
【図２】
2010204587.tif 000004
【図３】
2010204587.tif 000005
【図４】
2010204587.tif 000006